(57)【要約】【課題】  本発明は、防水効果を維持しつつ組み付け作業性をも良好とし得るケースの防水構造を提供することを目的とする。【解決手段】  ケースの防水構造において、ケース２０の挿通孔２６の周囲に防水パッキン５０を収容する収納凹部２７を設け、ネジ本体４０の螺子頭部４１に、工具によりネジ本体４０を回し締めするための操作凹部４１Ａを有する平板状のフランジ部４１Ｂを設けるとともに、このフランジ部４１Ｂと連続して設けられたネジ本体４０の軸部４２に防水パッキン５０を装着保持し、防水パッキン５０が装着保持されたネジ本体４０の螺着時にケース２０に設けられた収納凹部２７の内周壁部２７Ａ，２７Ｂとネジ本体４０のフランジ部４１Ｂおよびネジ本体４０の軸部４２との間において防水パッキン５０を圧縮状態にてケース２０と支持部材（ケース１０）とをネジ本体４０にて共締め固定してなることを特徴とするケースの防水構造である。【選択図】  図２
2010032470.tif 000002
【特許請求の範囲】
【請求項１】
螺子頭部と軸部およびその軸部の先端側に設けられた螺子部を有するネジ本体と、前記ネジ本体の螺子部が挿通される挿通孔が設けられたケースと、前記ケースと共締め固定され、前記ケースの前記挿通孔と対向し前記ネジ本体に形成された前記螺子部と螺着される螺子孔を有する支持部材と、前記螺子頭部と前記ケースとの間に圧縮状態にて配設される防水パッキンと、を備えたケースの防水構造において、前記ケースの前記挿通孔の周囲に前記防水パッキンを収容する収納凹部を設け、前記ネジ本体の前記螺子頭部に、工具により前記ネジ本体を回し締めするための操作凹部を有する平板状のフランジ部を設けるとともに、このフランジ部と連続して設けられた前記ネジ本体の前記軸部に前記防水パッキンを装着保持し、前記防水パッキンが装着保持された前記ネジ本体の螺着時に前記ケースに設けられた前記収納凹部の内周壁部と前記フランジ部および前記ネジ本体の前記軸部との間において前記防水パッキンを圧縮状態にて前記ケースと前記支持部材とを前記ネジ本体にて共締め固定してなることを特徴とするケースの防水構造。
【請求項２】
前記ネジ本体の軸部の外形寸法に対し、環状形状からなる前記防水パッキンの内径寸法を小さく設定してなることを特徴とする請求項１に記載のケースの防水構造。
【請求項３】
前記ネジ本体の軸部の一部に前記防水パッキンの抜け止めのための段付部を形成してなることを特徴とする請求項１に記載のケースの防水構造。
【請求項４】
前記ネジ本体のフランジ部をヘッダー加工にて成形してなることを特徴とする請求項１に記載のケースの防水構造。
【請求項５】
前記防水パッキンの外周面あるいは内周面に環状リブを設けてなることを特徴とする請求項１から請求項３に記載のケースの防水構造。
【発明の詳細な説明】
【技術分野】
【０００１】
本発明は、建設機械などの特殊車輌や水上バイク，スノーモービル，船舶、あるいはオートバイなどの計器装置などにおけるケースの防水構造あるいはアンプケース内に電子部品などを実装した回路基板をアンプケース内に収納するようにしたケースの防水構造に関するものである。
【背景技術】
【０００２】
この種のケースの防水構造として、たとえば特許文献１などが知られている。この場合、特許文献１の構成からなるケースの防水構造にあっては、上下のケース内に電子部品が実装された内部実装物が収納されており、内部実装物である回路基板は固定部材であるネジによって防水パッキン（Ｏ−リング）を介して水密を保ちながら共締め固定されている。また上下のケースの一方には、ケースの底面側からインサートナット固定部が設けられ、このインサートナット固定部には螺子孔を有するインサートナットがインサート成形によって固定されている。
【０００３】
また他方のケースの上面側には、前記インサートナットに対応するように、この上面方向に開口し、一方のケース方向に突出する円柱形状の凹部が設けられている。そしてその凹部の底部には、ネジを挿通するネジ貫通孔とこのネジ貫通孔の周囲に、このネジ貫通孔に臨む凹所が形成されている。
【０００４】
この場合、凹所の寸法と防水パッキンであるＯ−リングの寸法との関係は、凹所深さがＯ−リング高さより小さく、凹所幅がＯ−リング外径より大きくなっている。またネジの頭部の裏側の外径は、前記凹所幅よりも大きくなっている。この場合、ネジの頭部の外径寸法を大きくするためにワッシャが組み込まれている。これら凹所とＯ−リングの寸法は、ネジの螺子部の外径およびＯ−リングの寸法値、ゴム状弾性体の材質、硬度などにより最適値を決定する。また、内部実装物である回路基板ｃには固定孔が設けられている。なお、上下のケースとの突き当て箇所には水密を保つためのパッキンが配設されるように設けられている。
【０００５】
このように構成されているケースの防水構造にあっては、以下のように組み付けが行われる。まず最初に収納体である上下のケース間において、一方のケースのインサートナット位置と、他方のケースのネジ貫通孔との間に内部実装物である回路基板を合わせて配置し、これらを重ね合わせるとともに、それぞれのケースの突き当て箇所にパッキンを介して互いに水密が保てるように嵌め込む。
【０００６】
次いで、他方のケースの凹部箇所に設けられた凹所のネジ貫通孔の周囲にＯ−リングをセットする。さらにネジの螺子部を、Ｏ−リング、ケースのネジ貫通孔、回路基板の固定孔の順に挿入し、最後にケースに設けられたインサートナットの螺子孔に螺着することによって防水パッキンであるＯ−リングがインサートナットを介して圧縮状態にして組み付け固定される。このように組み付け固定されることによって、ネジによる締め付け箇所が防水パッキンであるＯ−リングによって水密に保つことができる
【特許文献１】特開平１０−３７９４０号公報
【発明の開示】
【発明が解決しようとする課題】
【０００７】
しかしながら、前述した特許文献１などからなるケースの防水構造にあっては、それぞれのケースの間に内部実装物である回路基板を組み付け、次いで小さな部品であるＯ−リングを他方のケースの凹部箇所に設けられた凹所のネジ貫通孔の周囲に個別にセットした後にネジによりそれぞれのケースと回路基板とを共締め固定するようにしているため、小さい組み付け部品であるＯ−リング（防水パッキン）のセットに手間を要するものであり、その組み付け作業性の点において難点がある。またＯ−リング（防水パッキン）を圧縮状態に抑え易くするためにネジの頭部の外形寸法を大きくする必要があるが、ここではネジの外径寸法を大きくするためにネジに個別の別部品であるワッシャを組み込んで形成しているため、固定部品であるネジ自体のコストも高くなってしまうという問題もある。
【０００８】
本発明は前述した問題点に着目し、防水効果を維持しつつ組み付け作業性をも良好とし得るケースの防水構造を提供することを目的とする。
【課題を解決するための手段】
【０００９】
本発明は前述した課題を解決するため、請求項１では、螺子頭部と軸部およびその軸部の先端側に設けられた螺子部を有するネジ本体と、前記ネジ本体の螺子部が挿通される挿通孔が設けられたケースと、前記ケースと共締め固定され、前記ケースの前記挿通孔と対向し前記ネジ本体に形成された前記螺子部と螺着される螺子孔を有する支持部材と、前記螺子頭部と前記ケースとの間に圧縮状態にて配設される防水パッキンと、を備えたケースの防水構造において、前記ケースの前記挿通孔の周囲に前記防水パッキンを収容する収納凹部を設け、前記ネジ本体の前記螺子頭部に、工具により前記ネジ本体を回し締めするための操作凹部を有する平板状のフランジ部を設けるとともに、このフランジ部と連続して設けられた前記ネジ本体の前記軸部に前記防水パッキンを装着保持し、前記防水パッキンが装着保持された前記ネジ本体の螺着時に前記ケースに設けられた前記収納凹部の内周壁部と前記フランジ部および前記ネジ本体の前記軸部との間において前記防水パッキンを圧縮状態にて前記ケースと前記支持部材とを前記ネジ本体にて共締め固定してなることを特徴とするケースの防水構造である。
【００１０】
このように構成することにより、予めネジ本体の軸部に防水パッキンを装着保持してなることによってネジ本体の軸部に対して防水パッキンを抜け止め保持することができ、ネジ本体の組み付けと同時に防水パッキンの組み付けを行うことができるため、従来に比べて組み付け作業性を高めることができるものであり、またネジ本体の螺子頭部に平板状のフランジ部を設けることによって。防水パッキンを抑える面積比率を従来に比べて高めることができるため防水効果を良好に保つことができる。
【００１１】
また請求項２では、請求項１に記載のケースの防水構造において、前記ネジ本体の軸部の外形寸法に対し、環状形状からなる前記防水パッキンの内径寸法を小さく設定してなることを特徴とするものである。
【００１２】
このように構成することにより、ネジ本体の軸部に対して防水パッキンを抜け止め保持することができ、ネジ本体とともに防水パッキンを組み付けることができるものであり、組み付け作業性を高めることができ、防水効果をも良好に保つことが可能となる。
【００１３】
また請求項３では、請求項１に記載のケースの防水構造において、前記ネジ本体の軸部の一部に前記防水パッキンの抜け止めのための段付部を形成してなることを特徴とするものである。
【００１４】
このように構成することにより、段付部によって防水パッキンがネジ本体の軸部から抜け止め保持されるため、ネジ本体とともに防水パッキンを組み付けることができるものであり、組み付け作業性を高めることができとともに、防水効果をも良好に保つことが可能となる。
【００１５】
また請求項４では、請求項１から請求項３に記載のケースの防水構造において、前記防水パッキンの外周面あるいは内周面に環状リブを設けてなることを特徴とするものである。
【００１６】
このように構成することにより、ネジ本体の螺着時にケースに設けられた収納凹部の内周壁部とフランジ部およびネジ本体の軸部との間において防水パッキンの環状リブがさらに部分的に強く押圧保持されるため、防水効果を高めることが可能となる。
【発明の効果】
【００１７】
本発明では、ケースの防水構造において、ケースの挿通孔の周囲に防水パッキンを収容する収納凹部を設け、ネジ本体の螺子頭部に、工具によりネジ本体を回し締めするための操作凹部を有する平板状のフランジ部を設けるとともに、このフランジ部と連続して設けられたネジ本体の軸部に防水パッキンを装着保持し、防水パッキンが装着保持されたネジ本体の螺着時にケースに設けられた収納凹部の内周壁部とネジ本体のフランジ部およびネジ本体の軸部との間において防水パッキンを圧縮状態にてケースと支持部材とをネジ本体にて共締め固定してなることを特徴とするケースの防水構造であるため、予めネジ本体の軸部に防水パッキンを装着保持してなることによってネジ本体の軸部に対して防水パッキンを抜け止め保持することができ、ネジ本体の組み付けと同時に防水パッキンの組み付けを行うことができるため、従来に比べて組み付け作業性を高めることができるものであり、また雨水などに晒されるという厳しい環境条件化にあったとしても、ネジ本体の螺子頭部に平板状のフランジ部を設けることによって防水パッキンを抑える面積比率を従来に比べて高めることができるため防水効果を良好に保つことができるものであり、これにより初期の目的を達成することができる。
【発明を実施するための最良の形態】
【００１８】
本発明の対象とするケースの防水構造として、電子部品などを実装する回路基板をケース内に収納するようにしたケースの防水構造を例にして詳述する。以下本発明の実施形態を添付図面に基づいて説明する。図１から図４は本発明の第１実施形態を示すもので、図１は、本発明の第１実施形態であるケースの防水構造を示す分解斜視図であり、図２は図１の組み付け状態を示すＡ−Ａ線断面図であり、図３は図２の組み付け前の状態を示す分解断面図であり、図４は図３のネジ本体と防水パッキンおよびケースとの要部構造を示す分解断面図である。
【００１９】
本実施形態によるケースの防水構造として、合成樹脂材料により成型された下側のケース１０と上側のケース２０とによって全体のケースが形成され、この下側と上側のケース１０，２０の内部に、たとえば図示はしないが電子部品などを実装した回路基板３０が収納される。また、回路基板３０をケース１０，２０に固定するための固定部材であるネジ本体４０が設けられており、この実施形態にあっては、回路基板３０はネジ本体４０によって環状の形状からなる防水パッキン５０を介して水密を保ちながらケース１０，２０とともに共締め固定される。
【００２０】
上下のケース１０，２０において、一方のケース側である下側に位置したケース１０は、ほぼ平板状の底壁となる壁部１１と、その壁部１１の周囲から他方のケース側である上側に位置したケース２０に向かって延びる側壁部１２とによって上方が開放された箱状に形成されており、側壁部１２の端面箇所には凹み部１３が形成され、この凹み部１３にパッキン６０が組み付けられるように設けられている。また、一方のケース側である下側に位置したケース１０の壁部１１には、円柱状からなる複数個の組み付け用ボス部１４が他方のケース側である上側に位置したケース２０に向かって一体に突き出し形成されており、この組み付け用ボス部１４には螺子孔１５を有するインサートナット１６がインサート成形によって設けられている。
【００２１】
回路基板３０には、ケース１０に設けられたインサートナット１６の位置に合わせて固定孔３１が形成されている。
【００２２】
また他方のケース側である上側に位置したケース２０は、ほぼ平板状の底壁となる壁部２１と、その壁部２１の周囲から延びる側壁部２２とによって下方が開放された箱状に形成されており、側壁部２２の端面箇所には凹み部２３が形成され、この凹み部２３に前述したパッキン６０が組み付けられるように設けられている。またケース２０の壁部２１には、ケース１０に設けられたインサートナット１６の位置に対応するように、一方のケース側である下側のケース１０方向に突出する円柱形状の凹部２４が設けられ、その凹部２４の底部２５には後述するネジ本体４０の螺子部が挿通される挿通孔２６が設けられるとともに、その挿通孔２６の周囲に防水パッキン５０を収容する収納凹部２７が設けられている。
【００２３】
ネジ本体４０は、螺子頭部４１と軸部４２およびその軸部４２の先端側に設けられた螺子部４３とを有しており、この第１実施形態にあっては、ネジ本体４０の螺子頭部４１に、工具によりネジ本体４０を回し締めするための操作凹部４１Ａを有する平板状のフランジ部４１Ｂが設けられている。この際、操作凹部４１Ａを有する平板状のフランジ部４１Ｂの外形寸法Ｌは軸部４２の外径寸法Ｌ１に対して径大となるようにヘッダー加工などの手段によって成形されている。
【００２４】
またネジ本体４０の軸部４２には、環状の形状からなる防水パッキン５０が装着保持される。この第１の実施形態にあっては、図４に示すように、ネジ本体４０の軸部４２の外形寸法Ｌ１に対し、環状形状からなる防水パッキン５０の内径寸法Ｒ１を小さくなるように設定している。すなわち、ネジ本体４０の軸部４２に事前に防水パッキン５０を装着することにより、防水パッキン５０がネジ本体４０の軸部４２に嵌め込まれる際に防水パッキン５０の内径側が押し圧されて抜け止め保持されるように設定している。
【００２５】
また防水パッキン５０の外形寸法Ｒ２は、ケース２０に設けた収納凹部２７の側壁２７Ａの内寸Ｔより小さい寸法となるように設定している。また防水パッキン５０の高さ寸法Ｒ３に対して収納凹部２７の底壁２７Ｂと凹部２４の底部２５との奥行き寸法からなる収納凹部２７の深さ寸法Ｔ１を若干小さな寸法となるように設定している。
【００２６】
またネジ本体４０の操作凹部４１Ａを有する平板状のフランジ部４１Ｂの外形寸法Ｌは、ケース２０に設けた収納凹部２７の側壁２７Ａの内寸Ｔに対して大きく設定している。
【００２７】
なお、この実施形態にあっては、ネジ本体４０の螺子部４３が挿通される挿通孔２６が設けられたケース２０と、このケース２０と共締め固定され、ケース２０の挿通孔２６と対向しネジ本体４０に形成された螺子部４３と螺着される螺子孔１５を有する側であるケース１０が支持部材として構成されている。また通常の使用条件としては、この実施形態にあっては外部から直接雨水などが晒されないようにするため、上下逆さまに設置するようにしている。
【００２８】
このように構成された第１の実施形態におけるケースの防水構造においては、以下のように組み付けが行われる。まず最初に上下のケース１０，２０間において、支持部材側となるケース１０を基準として、そのケース１０のインサートナット１６位置と、ケース２０の挿通孔２６との間に回路基板３０の固定孔３１位置を合わせて配置し、これらを重ね合わせるとともに、各ケース１０，２０の突き当て箇所である側壁部１２，２２の端面箇所に設けたそれぞれの凹み部１３，２３にパッキン６０を嵌め込んで互いに水密が保てるように配置する。
【００２９】
次いで、防水パッキン５０をネジ本体４０の軸部４２に事前にセットした状態にて、ケース２０の凹部２４の底部２５に設けられた挿通孔２６に防水パッキン５０を組み付けたネジ本体４０の螺子部４３を挿通し、ネジ本体４０に設けた操作凹部４１Ａに工具を宛がって回し締めすることにより、支持部材側となるケース１０のインサートナット１６に設けた螺子孔１５にネジ本体４０の螺子部４３が螺着され、これにより上下のケース１０，２０とともに回路基板３０が共締め固定される。
【００３０】
この際、ネジ本体４０のフランジ部４１Ｂの底面部分とケース２０に設けられた収納凹部２７の内周壁部（収納凹部２７の側壁２７Ａと底壁２７Ｂ）とネジ本体４０の軸部４２との間にて防水パッキン５０が圧縮状態にて保持されることによって水密に保つことができる。すなわち、雨水などによって晒されるという厳しい環境条件下にあったとしても、従来構造のようなワッシャを用いることなく工具によりネジ本体４０を回し締めするための操作凹部４１Ａを有する平板状のフランジ部４１Ｂが螺子頭部４１に一体に設けることができるものであり、部品点数を増やすことなく防水パッキン５０を良好に押圧しながら圧縮状態に保持することができ、これにより防水効果を良好に保つことができる。
【００３１】
また予めネジ本体４０の軸部４２に防水パッキン５０を装着保持してなることによってネジ本体４０の軸部４２に対して防水パッキン５０を抜け止め保持することができ、ネジ本体４０の組み付けと同時に防水パッキン５０の組み付けを行うことができるため、従来に比べて組み付け作業性を高めることができるものである。
【００３２】
また、図５から図９は、本発明の第２の実施形態を示すものであり、本発明の対象とするケースの防水構造として、外部雰囲気に晒されるオートバイ用の計器装置などにおいて、計器装置のメータケース内に組み付けられる表示部材を支持部材となるホルダー（インナーケース）に組み付け固定するとともに、このホルダーとメータケースとをネジ本体によって固定保持するようにしたケースの防水構造を例にして詳述する。以下本発明実施形態を添付図面に基づいて説明する。図５は、第２実施形態であるケースの防水構造を計器装置に適用した例を示す計器の正面図であり、図６は図５の要部構造を示すＡ−Ａ線断面図であり、図７は図６の要部箇所を示す拡大断面図であり、図８は図７の組み付け前の状態を示す分解断面図であり、図９は図８のネジ本体と防水パッキン５０およびケースとの要部構造を示す分解断面図である。
【００３３】
同図において、各種情報を表示する表示部材Ｄとして中央に速度計からなる指示計器と、左側に燃料計、右側に温度計からなる指示計器などが配置され、それぞれが外装部材となる上下のケース１００，２００内に組み付け固定される。
【００３４】
この場合、速度計や燃料計、水温計などの各種情報を表示する表示部材Ｄである各指示計器にあっては、図６などに示すように、合成樹脂製の枠状からなるホルダー７００の背後に硬質からなる回路基板３００が組み付け固定されるとともに、この回路基板３００の背後側に各指示計器の一部を構成する計器本体８００がそれぞれ組み付け固定されており、この各計器本体８００に設けられた指針軸８１０の先端側に、指針軸８１０を軸芯として回転する指針８２０がそれぞれ圧入固定されている。この場合、ホルダー７００と計器本体８００を実装した回路基板３００とはケース１００に対して防水パッキン５００をセットしたネジ本体４００を介して共締め固定されるように形成されている。
【００３５】
なお前記指針８２０の背後側に位置しホルダー７００の前面側には、目盛や数字や記号などからなる表示部が施された文字板８３０が配設されている。
【００３６】
外装部材となる計器ケースとしては、上側のケース２００と下側のケース１００とから形成されており、上側のケース２００には、文字板８３０（表示板）上に設けられた目盛・数字・文字・記号などの表示部が施された表示部領域を視認する透光性のカバープレート２１０が上側のケース２００と一体的に設けられており、各ケース１００，２００の突き合わせ箇所は水密を保つために超音波溶着によって密封保持するようにしている。
【００３７】
この第２の実施形態にあっては、支持部材となるホルダー７００の所要箇所には円柱状からなる複数個の組み付け用ボス部７１０が下側に位置したケース１００に向かって一体に突き出し形成され、この組み付け用ボス部７１０には螺子孔７２０を有するインサートナット７３０がインサート成形にて設けられている。
【００３８】
また下側のケース１００には、ホルダー７００の組み付け用ボス部７１０に設けられたインサートナット７３０位置に合わせて後述するネジ本体４００の螺子部と軸部とを挿通する挿通孔１１０が設けられるとともに、その挿通孔１１０の周囲に防水パッキン５００を収容する収納凹部１２０が設けられている。
【００３９】
またホルダー７００とケース１００との間に介在され保持される回路基板３００には、ホルダー７００に設けられたインサートナット７３０位置に合わせて固定孔３１０が形成されている。
【００４０】
ネジ本体４００は、螺子頭部４１０と軸部４２０およびその軸部４２０の先端側に設けられる螺子部４３０を有しており、この第２実施形態にあってはネジ本体４００の螺子頭部４１０に、工具によりネジ本体４００を回し締めするための操作凹部４１０ａを有する平板状のフランジ部４１０ｂが設けられている。この際、操作凹部４１０ａを有する平板状のフランジ部４１０ｂの外形寸法Ｌは軸部４２０の外径寸法Ｌ１に対して径大となるようにヘッダー加工などの手段によって成形されている。またネジ本体４００の軸部４２０には、螺子部４３０との境目となる側に軸部４２０の外形寸法Ｌ１より幾分径大となる外形寸法Ｌ２からなる段付部４２０ａが形成されている。
【００４１】
また、環状の形状からなる防水パッキン５００の外周面あるいは内周面には環状リブ５１０が設けられ、防水パッキン５００の圧縮時に環状リブ５１０を押し当てることによって、さらに防水効果を高めることが可能となるようにしている。
【００４２】
またネジ本体４００には、事前に防水パッキン５００が保持される。この第２実施形態にあっては、ネジ本体４００の軸部４２０の外形寸法Ｌ１と段付部４２０ａの外形寸法Ｌ２において、特に環状形状からなる防水パッキン５００の内径寸法Ｒ１を段付部４２０ａの外形寸法Ｌ２に対して小さくなるように設定している。すなわち、ネジ本体４００の軸部４２０に予め防水パッキン５００を装着してセットすることにより、防水パッキン５００がネジ本体４００の軸部４２０に嵌め込まれると、防水パッキン５００の内径寸法Ｒ１より大きく設定された外形寸法Ｌ２からなる段付部４２０ａによって抜け止め保持されるように設けている。
【００４３】
また防水パッキン５００の外形寸法Ｒ２は、ケース１００に設けた収納凹部１２０の側壁１２０ａの内寸Ｔより小さい寸法となるように設定している。また防水パッキン５００の高さ寸法Ｒ３に対して収納凹部１２０の底壁１２０ｂとケース１００の外壁面との奥行き寸法からなる収納凹部１２０の深さ寸法Ｔ１を小さな寸法となるよう設定している。
【００４４】
なお、ネジ本体４００の操作凹部４１０ａを有する平板状のフランジ部４１０ｂの外形寸法Ｌは、ケース１００に設けた収納凹部１２０の側壁１２０ａの内寸Ｔに対して大きく設定しており、締め付け固定強度が充分得られるように構成している。
【００４５】
このように構成された第２実施形態におけるケースの防水構造にあっては、以下のように組み付けが行われる。まず最初にケース１００内に回路基板３００とインナーケースとなるホルダー７００とを収容し、ホルダー７００のインサートナット７３０位置に回路基板３００の固定孔３１０を合わせつつケース１００の挿通孔１１０の位置とが適合するように重ね合わせて配置する。
【００４６】
次いで、ネジ本体４００の軸部４２０に予め防水パッキン５００を挿通してセットした状態にて、ケース１００の挿通孔１１０に防水パッキン５００を組み付けたネジ本体４００の螺子部４３０側を挿入し、ネジ本体４００に設けた操作凹部４１０ａに工具を宛がって回し締め固定することにより、支持部材側となるホルダー７００のインサートナット７３０に設けた螺子孔７２０にネジ本体４００の螺子部４３０が螺着され、これによりホルダー７００とケース１００との間に回路基板３００を介してネジ本体４００によって共締め固定される。
【００４７】
この共締め固定時において、ネジ本体４００のフランジ部４１０ｂの底面部分とケース１００に設けられた収納凹部１２０の側壁１２０ａと底壁１２０ｂとネジ本体４００の軸部４２０との間にて防水パッキン５００が圧縮状態にて保持されるため、外部から侵入しようとる雨水などを遮断することができるものであり、特にこの実施形態にあっては、防水パッキン５００の外周面あるいは内周面に設けた環状リブ５１０によって、防水パッキン５００の圧縮時に環状リブ５１０をネジ本体４００のフランジ部４１０ｂの底面部分とケース１００に設けられた収納凹部１２０の側壁１２０ａと底壁１２０ｂとネジ本体４００の軸部４２０とにそれぞれ押圧することによって、部分的に圧縮度合いを高めることができ、防水性の度合いを高めることが可能となる。この際、雨水などに晒されるという環境条件下にあったとしても、従来構造のようなワッシャなどを用いることもなく専用の工具によってネジ本体４００を回し締めするための操作凹部４１０Ａを有する平板状のフランジ部４１０ｂが螺子頭部４１０に一体に設けることができるものであり、部品点数を増やすことなく防水パッキン５００を良好に押圧しながら圧縮状態に保持することができ、これにより防水効果を良好に保つことができる。
【００４８】
また予めネジ本体４００の軸部４２０に防水パッキン５００を抜け止め状態に装着保持してなることにより、ネジ本体４００の組み付けと同時に防水パッキン５００の組み付けをも行うことができるため、従来に比べて組み付け作業の点においても簡便に行うことができるものである。
【００４９】
ケース１００に対して回路基板３００とホルダー７００との組み付けが完了した後において、上側のケース２００側と下側のケース１００側とを、その突き合わせ箇所にて超音波溶着することによって各ケース１００，２００間を密封保持することができる。  
【００５０】
なお本発明は、前述した実施例に限定されるものではなく本発明の要旨の範囲内において種々の変形実施が可能である。たとえば、各実施形態においては、工具が差し込まれる操作凹部の形状として六角穴付のネジ本体であったり、ヘクサロビュラ穴による操作凹部をネジ本体の螺子頭部に形成したものを適用していたが、他の工具が差し込まれる穴を有する螺子頭部であっても良いものであり、この場合、螺子頭部の成形手段としてヘッダー加工によって形成していたが、平板状からなる螺子頭部の外径寸法が簡単に径大に形成することができるものであれば良いものである。その際、ネジ本体の螺子頭部によって防水パッキンを圧縮状態に保持する面積を広く設定することができることによって防水効果も高めることが可能となるものであり、またネジ本体の軸部に対して予め防水パッキンを抜け止め状態にて保持してなることにより組み付け作業性が従来に比して高めることが可能となる。また合成ゴムなどの材料からなる防水パッキンの硬さや成分あるいは防水パッキンの形状、幅寸法や高さ寸法などを設定することによって圧縮度合いを任意に外部雰囲気中の使用条件などに合わせることが可能となるものである。またケースの防水構造として回路基板を収納するアンプケースや指示計器を収納する計器ケースの防水構造を例にして述べたが、ケース内外の防水性を得ることをねらいとするリモコンのケースや電気機器のケースの防水構造として適用することによって同様の効果を得ることが可能である。
【図面の簡単な説明】
【００５１】
【図１】図１は本発明の第１実施形態であるケースの防水構造を示す分解斜視図である。
【図２】図２は図１の組み付け状態を示すＡ−Ａ線断面図である。
【図３】図３は図２の組み付け前の状態を示す分解断面図である。
【図４】図４は図３のネジ本体と防水パッキンおよびケースとの要部構造を示す分解断面図である。
【図５】図５は本発明の第２実施形態であるケースの防水構造を計器装置に適用した例を示す計器の正面図である。
【図６】図６は図５の要部構造を示すＡ−Ａ線断面図である。
【図７】図７は図６の要部箇所を示す拡大断面図である。
【図８】図８は図７の組み付け組み付け前の状態を示す分解断面図である。
【図９】図９は図８のネジ本体と防水パッキンおよびケースとの要部構造を示す分解斜視図である。」
【符号の説明】
【００５２】
１０，２０，１００，２００    ケース
１１，２１    壁部
１２，２２    側壁部
１３，２３    凹み部
１４，７１０    組み付け用ボス部
１５，７２０    螺子孔
１６，７３０    インサートナット
２４    凹部
２５    底部
２６，１１０    挿通孔
２７，１２０    収納凹部
２７Ａ，１２０ａ    側壁
２７Ｂ，１２０ｂ    底壁
３０，３００    回路基板
３１，３１０    固定孔
４０，４００    ネジ本体
４１，４１０    螺子頭部
４１Ａ，４１０ａ    操作凹部
４１Ｂ，４１０ｂ    フランジ部
４２，４２０    軸部
４２０ａ    段付部
４３，４３０    螺子部
５０，５００    防水パッキン
５１０    環状リブ
６０    パッキン
７００    ホルダー
【図１】
2010032470.tif 000003
【図２】
2010032470.tif 000004
【図３】
2010032470.tif 000005
【図４】
2010032470.tif 000006
【図５】
2010032470.tif 000007
【図６】
2010032470.tif 000008
【図７】
2010032470.tif 000009
【図８】
2010032470.tif 000010
【図９】
2010032470.tif 000011